(57)【要約】      （修正有）【課題】小型・軽量化でき、例えば内燃機関における有害物質の発生を軽減し抑制できるようにしたブラウンガスジェネレータを提供する。【解決手段】ブラウンガス供給通路５０と水蒸気供給通路２１０とが対向して形成された筒状ケース２１と、該筒状ケース２１内のブラウンガス供給通路５０と水蒸気供給通路２１０との間を遮断するように取付けられ、水蒸気供給通路２１０から供給されて加圧された水蒸気を流通路２４Ａ内をブラウンガス供給通路５０側に向けて流通させるノズル２４と、該ノズル２４の流通路２４Ａの水蒸気流通方向の両端に上記流通路２４Ａに臨んで設けられ、プラズマ用電圧が印加されることによってプラズマアークを発生させ、上記水蒸気を水素と酸素とに分解し該水素と酸素とからブラウンガスを生成させる電極２５，２６と、を備える。【選択図】図２
0003146521.tif 000002
【実用新案登録請求の範囲】
【請求項１】
ブラウンガス供給通路(50)と水蒸気供給通路(210)とが対向して形成された筒状ケース(21)と、
該筒状ケース(21)内のブラウンガス供給通路(50)と水蒸気供給通路(210)との間を遮断するように取付けられ、水蒸気供給通路(210)から供給されて加圧された水蒸気を流通路(24A)内をブラウンガス供給通路(50)側に向けて流通させるノズル(24)と、
該ノズル(24)の流通路(24A)の水蒸気流通方向の両端に上記流通路(24A)に臨んで設けられ、電圧が印加されることによってプラズマアークを発生させ、上記水蒸気を水素と酸素とに分解し該水素と酸素とからブラウンガスを生成させる電極(25,26)と、
を備えたことを特徴とするブラウンガスジェネレータ。
【請求項２】
上記ノズル(24)の水蒸気供給通路(210)側には円錐台状の拡径部が流通路(24A)に連通して形成され、該拡径部には円錐台部品(27)が嵌め込まれ、該円錐台部品(27)の外表面には複数の螺旋状の突条部(27A)が形成されており、該突条部(27A)によって拡径部と円錐台部品(27)との間に狭小の隙間が形成され、水蒸気を螺旋状に流通されるようになっている請求項１記載のブラウンガスジェネレータ。
【請求項３】
上記ブラウンガス供給通路(50)は、生成されたブラウンガスを芳香族炭化水素化合物又は炭化水素化合物を燃料とする内燃機関の吸気系に供給して芳香族炭化水素化合物又は炭化水素化合物の燃焼効率を改善させるようになっている請求項１記載のブラウンガスジェネレータ。
【請求項４】
内燃機関の排ガスの熱によって水が加熱されて生成された水蒸気が供給されるようになっている請求項１記載のブラウンガスジェネレータ。
【考案の詳細な説明】
【技術分野】
【０００１】
この考案はブラウンガスジェネレータに関し、特に小型・軽量化でき、例えば内燃機関における有害物質の発生を軽減し抑制できるようにしたジェネレータに関する。
【背景技術】
【０００２】
車輛用エンジンではガソリンなどの石油系燃料を用いているが、石油系燃料を燃焼させるとＣＯやＮＯｘなどの有害物質が発生し、環境を汚染する原因となる。これに対し、石油系燃料に代えてエタノールを用いるようにしたアルコールエンジンが実用化されている。また、水素と酸素を反応させて発電し、モータを駆動して走行するようにした燃料電池車が注目され実用化がすすめられている。
【０００３】
また、水中にプラズマアークを照射して水素と酸素に分解し、得られた水素と酸素を２：１で混合したブラウンガスを燃料として用いることにより、ＣＯやＮＯｘなどの有害物質の発生を軽減し抑制するようにした内燃機関が提案されている（特許文献１）。
【０００４】
さらに、ブラウンガスを内燃機関の燃料として用いる際に、ブラウンガスに低級アルコールやガソリンなどを混合して燃焼温度を低下させ、内燃機関の耐久性の低下を軽減するようにした内燃機関の燃料供給装置が提案されている（特許文献２）。
【０００５】
【特許文献１】特開平１０−２２０２３７号公報
【特許文献２】特開２００５−３２０４１６号公報
【考案の開示】
【考案が解決しようとする課題】
【０００６】
しかし、特許文献１、２記載の内燃機関の燃料供給装置では大量のブラウンガスを消費するので、ブラウンガスのジェネレータが大型化し、軽量化が求められている車輛には搭載し難いという問題がある。
【０００７】
本考案はかかる問題点に鑑み、小型・軽量化でき、例えば内燃機関における有害物質の発生を軽減し抑制できるようにしたブラウンガスジェネレータを提供することを課題とする。
【課題を解決するための手段】
【０００８】
そこで、本考案に係るブラウンガスジェネレータは、ブラウンガス供給通路と水蒸気供給通路とが対向して形成された筒状ケースと、該筒状ケース内のブラウンガス供給通路と水蒸気供給通路との間を遮断するように取付けられ、水蒸気供給通路から供給されて加圧された水蒸気を流通路内をブラウンガス供給通路側に向けて流通させるノズルと、該ノズルの流通路の水蒸気流通方向の両端に上記流通路に臨んで設けられ、プラズマ用電圧が印加されることによってプラズマアークを発生させ、上記水蒸気を水素と酸素とに分解し該水素と酸素とからブラウンガスを生成させる電極と、を備えたことを特徴とする。
【０００９】
また、本考案の１つの特徴はノズルの流通路に望む電極にプラズマ用電圧を印加してプラズマアークを発生させるとともに、水蒸気を加圧してノズルの流通路に流通させ、水蒸気を水素と酸素に分解するようにした点にある。
【００１０】
これにより、ブラウンガスを効率よく生成できるので、小型・軽量のブラウンガスのジェネレータを構成できる。
【００１１】
水蒸気はノズルの流通路においてプラズマアーク内を長い距離でもって通過するのが望ましい。そこで、ブラウンガスジェネレータは、ノズルの流通路内に水蒸気が螺旋状に旋回されながら通過されるように構成されるのがよい。
【００１２】
すなわち、ノズルの水蒸気供給通路側には円錐台状の拡径部が流通路に連通して形成され、該拡径部には円錐台部品が嵌め込まれ、該円錐台部品の外表面には複数の螺旋状の突条部が形成されており、該突条部によって拡径部と円錐台部品との間に狭小の隙間が形成され、水蒸気を螺旋状に流通されるように構成するのがよい。
【００１３】
また、ブラウンガスは内燃機関の燃料として用いるのではなく、内燃機関における燃料の燃焼効率を改善させるために用いるようにすると、少量のブラウンガスを生成すればよく、大容量で大型のブラウンガスのジェネレータを用いる必要がないので、本考案に係るブラウンガスジェネレータは最適である。
【００１４】
水蒸気は加熱器を設けて生成するようにしてもよいが、車輛の狭いレイアウトスペースを考慮すると、内燃機関の排熱を利用して水蒸気を生成するのがよい。即ち、ブラウンガスジェネレータは、内燃機関の排ガスの熱によって水が加熱されて生成された水蒸気が供給されるように構成されている。
【００１５】
ここで、芳香族炭化水素化合物は例えばガソリンや軽油が挙げられる。また、炭化水素化合物はメタノールやエタノールが挙げられる。これらと単独で用いられてもよく、混合して用いられてもよい。
【考案を実施するための最良の形態】
【００１６】
以下、本考案を図面に示す具体例に基づいて詳細に説明する。図１ないし図３は本考案に係るブラウンガスジェネレータの好ましい実施形態を示し、これは内燃機関の燃料供給装置に適用した例である。図において、エンジン１０には吸気通路１１及び排気通路１２が燃焼室１３に開口して形成され、吸気通路１１の吸気ポート１１Ａ及び排気通路１２の排気ポート１２Ａには吸気弁１４及び排気弁１５が開閉自在に設けられている。
【００１７】
また、エンジン１０には燃料噴射弁１６及び点火プラグ１７が燃焼室１３に臨んで取付けられ、燃料噴射弁１６には燃料ポンプ（図示せず）によってガソリンが供給される一方、燃料噴射弁１６及び点火プラグ１７はエンジン制御装置（図示せず）によって駆動制御されるようになっている。
【００１８】
エンジン１０の吸気通路１１にはブラウンガス供給通路５０が接続され、ブラウンガス供給通路５０にはブラウンガスジェネレータ２０が接続されている。このブラウンガスジェネレータ２０において、金属製の筒状ケース２１にはセラミックス２２が内張りされて耐熱性が付与されている。
【００１９】
筒状ケース２１内にはノズル２４が嵌め込まれ、ノズル２４には流通路２４Ａが穿設され、流通路２４Ａは小径の直線部分から先端及び後端に向けて内径が漸増され、流通路２４の後部拡径部分には円錐台部品２７が嵌め込まれ、円錐台部品２７はケース２１の台座２９で受けられたコイルばね２８の付勢力によって嵌め込んだ状態に保持されている。
【００２０】
この円錐台部品２７の外表面には螺旋状の複数、例えば４つの突条部２７Ａが形成されることにより、ノズル２４の後部拡径部分の内面と円錐台部品２７の外面との間に狭小の隙間が形成され、水蒸気がノズル２４の流通路２４Ａの小径直線状部分に螺旋状に供給されるようになっている。
【００２１】
ノズル２４の小径直線状部分の前後には電極２５、２６が配置され、電極２５、２６間にはプラズマ用電圧が印加されるようになっている。
【００２２】
また、ブラウンガスジェネレータ２０のケース２１には水蒸気の供給口２１０が形成され、供給口２１０には熱交換器３０からの水蒸気が送球されるようになっている。この熱交換器３０はエンジン１０の排気ガスの熱を利用して水を蒸発させるように構成され、熱交換器３０には給水ポンプ４０によって水が供給されるようになっている。
【００２３】
エンジン１０を作動させると、給水ポンプ４０が水を熱交換器３０に供給し、熱交換器３０でエンジン１０の排気ガスと水とが熱交換されて水蒸気が生成され、水蒸気はブラウンガスジェネレータ２０のケース２１内に供給されてケース２１の後部内で加圧された状態となる。
【００２４】
この加圧された水蒸気はノズル２４の後部の隙間を通り、円錐台部品２７の螺旋状の突条部２７Ａによって螺旋状に案内されてノズル２４の小径の直線状部分に至り、螺旋状を維持したまま小径の直線状部分を通過する。このとき、電極２５、２６間にはプラズマ用電圧が印加されてプラズマアークが発生されており、プラズマアークを通過することによって水素と酸素に分解され、分解された水素と酸素とが２：１の割合で混合されてブラウンガスが生成される。
【００２５】
生成されたブラウンガスはブラウンガス供給通路５０からエンジン１０の吸気通路１１に供給され、吸気とともにエンジン１０の燃焼室１３に吸入され、燃料噴射弁１６からの噴射燃料と混合されて点火プラグ１７によって点火されて燃焼される。
【００２６】
ブラウンガスは１７００°Ｃ以上の高温で燃焼するので、噴射燃料の燃焼効率が改善され、ＣＯやＮＯx などの有害物質の量が低減できる。
【００２７】
なお、上記の例では燃料噴射弁１６を備えたエンジン１０を例に説明したが、気化器を備えたエンジンであっても同様に適用できる。また、上記の例ではガソリンエンジンを例に説明したが、ディーゼルエンジンであっても同様に適用できる。
【図面の簡単な説明】
【００２８】
【図１】本考案に係るブラウンガスジェネレータの好ましい実施形態を備えたエンジンの燃料供給装置を模式的に示す図である。
【図２】上記実施形態の構造例を示す図である。
【図３】上記実施形態におけるノズルの円錐台部品２７を示す図である。
【符号の説明】
【００２９】
１０        エンジン
１１        吸気通路
１２        排気通路
１３        燃焼室
１６        燃料噴射弁
１７        点火プラグ
２０        ブラウンガスジェネレータ
２１        ケース
２２        内張りセラミック
２４        プラグ
２４Ａ      流通路
２５、２６      電極
２７        円錐台部品
２７Ａ      突条部
３０        熱交換器
４０        給水ポンプ
５０        ブラウンガス供給通路
２１０      水蒸気供給通路
【図１】
0003146521.tif 000003
【図２】
0003146521.tif 000004
【図３】
0003146521.tif 000005